(57)【特許請求の範囲】
【請求項１】
放送サービス番号を含むチャンネル番号を入力する入力手段と、
放送信号及び番組特定情報を受信する受信手段と、
前記入力手段において前記放送サービス番号のうちα桁目までの番号が入力された時、先頭から前記α桁目までの番号が一致する番号の内、前記放送サービス番号の桁数がα桁の番号及びα+１桁の番号のみ抽出し、前記番組特定情報と対応付けて表示する表示制御手段と、を備える、デジタル放送受信機。
【請求項２】
前記受信手段で受信可能なチャンネルをチャンネルスキャンし、受信可能なチャンネルのチャンネルリストを作成する作成手段を、更に備え、
前記表示制御手段は、前記放送サービス番号の桁数が前記α桁の番号及び前記α+１桁の番号を前記チャンネルリストから抽出する、請求項１に記載のデジタル放送受信機。
【請求項３】
前記チャンネルリストと前記番組特定情報とを記憶する記憶手段を、更に備え、
前記表示制御手段は、前記放送サービス番号の桁数が前記α桁の番号及び前記α+１桁の番号と前記番組特定情報とを前記記憶手段から抽出する、請求項２に記載のデジタル放送受信機。
【請求項４】
前記表示制御手段は、枝番号を含む情報を抽出する、請求項１から３のいずれか１項に記載のデジタル放送受信機。
【発明の詳細な説明】
【技術分野】
【０００１】
本発明は、チャンネルの番号列の直接入力を受付け、入力された番号列のチャンネルを受信するデジタル放送受信機に関するものである。
【背景技術】
【０００２】
従来、衛星放送などのデジタル放送を受信するデジタル放送受信機が一般に広く普及している。
このようなデジタル放送受信機には、チャンネルの番号列を直接入力するダイレクト選局タイプのものがある。このタイプのデジタル放送受信機では、ユーザは、番号キーを順次操作することにより希望のチャンネルの番号列を直接入力する。すると、デジタル放送受信機は、入力された番号列のチャンネルを受信し、そのチャンネルで放送されるテレビ番組のコンテンツを画面上に表示する。このようにして、ユーザは、チャンネルを番号キーで直接入力し、テレビ番組を視聴する。
なお、特許文献１では、入力漢字候補を表示するナビゲーション装置が提案されている。
【先行技術文献】
【特許文献】
【０００３】
【特許文献１】特開２００７−１０８００４公報
【発明の概要】
【発明が解決しようとする課題】
【０００４】
しかしながら、近年のデジタル技術の進展によりチャンネル数が大幅に増加してきた。このため、上記ダイレクト選局タイプのデジタル放送受信機では、ユーザが、視聴したいテレビ番組のチャンネルの番号列を誤り、異なるテレビ番組のチャンネルを入力してしまうことが増えてきた。
そのため、上記ダイレクト選局タイプのデジタル放送受信機では、希望のチャンネルをユーザが入力することが難しいという問題が出てきた。特に欧米では、上記ダイレクト選局タイプのデジタル放送受信機が主流であるため、この問題は顕著になってきた。
【０００５】
本発明はこのような従来の課題を解決しようとするものであり、希望のチャンネルをユーザが入力できるようチャンネル入力を補助し、チャンネルの入力ミスを減らしたデジタル放送受信機を提供することを目的とする。
【課題を解決するための手段】
【０００６】
本発明のデジタル放送受信機は、前記課題を解決するために以下の構成を備えている。
【０００７】
（１）放送サービス番号を含むチャンネル番号を入力する入力手段と、
放送信号及び番組特定情報を受信する受信手段と、
前記入力手段において前記放送サービス番号のうちα桁目までの番号が入力された時、先頭から前記α桁目までの番号が一致する番号の内、前記放送サービス番号の桁数がα桁の番号及びα+１桁の番号のみ抽出し、前記番組特定情報と対応付けて表示する表示制御手段と、を備える。
【０００８】
この構成において、デジタル放送受信は、チャンネルの番号列を直接入力するダイレクト選局タイプのものである。また、テレビ放送の放送形態は、例えば衛星放送、ケーブルテレビ放送、又は地上波デジタル放送である。また、チャンネルリストは、デジタル放送受信機の設置時などに、チャンネルスキャンにより予め作成されるリストである。
この構成においてユーザが番号列の一部を入力手段で入力すると、その一部を含む番号列と対応するチャンネル名とがチャンネルリストから抽出され、チャンネル候補として表示制御手段で表示される。ユーザは、このチャンネル候補を見て、残りの番号を入力手段で入力する。そして、全ての番号列が入力されると、受信手段は、その番号列のチャンネルの周波数帯域で放送されるテレビ番組のテレビ放送信号を受信する。これにより、表示制御手段において、そのテレビ番組の画像が表示される。
以上のように、チャンネル候補を表示してユーザのチャンネル入力を補助しているので、ユーザは、受信可能でないチャンネルを誤って入力することがない。従って、デジタル放送受信機は、ユーザのチャンネル入力ミスを減らすことができる。
【０００９】
また、この構成においては、番組名をチャンネル候補とともに表示しているので、ユーザは、希望のチャンネルを入力し易くなる。従って、チャンネル入力ミスを一層減らすことができる。
【００１０】
また、この構成においては、チャンネル名もチャンネル候補とともに表示しているので、ユーザは、希望のチャンネルを入力し易くなる。従って、チャンネル入力ミスを一層減らすことができる。
【００１１】
（２）前記受信手段で受信可能なチャンネルをチャンネルスキャンし、受信可能なチャンネルのチヤンネルリストを作成する作成手段を、更に備え、
前記表示制御手段は、対応する番号を前記チャンネルリストから抽出する。
【００１２】
（３）前記チャンネルリストと前記番組特定情報とを記憶する記憶手段を、更に備え、
前記表示制御手段は、対応する番号と前記番組特定情報とを前記記憶手段から抽出する。
【００１３】
（４）前記表示制御手段は、枝番号を含む情報を抽出する。
【発明の効果】
【００１４】
この発明によれば、ユーザのチャンネル入力ミスを減らすことができる。
【図面の簡単な説明】
【００１５】
【図１】本発明の実施形態であるディジタルテレビジョンの主要な構成を示すブロック図
【図２】リモコン２００の外観図
【図３】制御データメモリ１４が記憶するチャンネルリストの一例を示す図
【図４】本発明の実施形態であるディジタルテレビジョンの制御部が行う動作を示すフローチャート
【図５】本発明の実施形態であるディジタルテレビジョンの表示部９で表示される表示内容の推移の一例を示す図
【図６】本発明の実施形態の第１変形例であるディジタルテレビジョンの制御部が行う動作を示すフローチャート
【図７】本発明の実施形態の第１変形例であるディジタルテレビジョンの表示部９で表示される表示内容の一例を示す図
【図８】本発明の実施形態の第２変形例であるディジタルテレビジョンの表示部９で表示される表示内容の一例を示す図
【発明を実施するための形態】
【００１６】
以下、本発明の実施形態であるディジタルテレビジョンについて説明する。
【００１７】
図１は、本発明の実施形態であるディジタルテレビジョンの主要な構成を示すブロック図である。ディジタルテレビジョン（以下、TVと称する）１０１は、チャンネルの番号列を直接入力するダイレクト選局タイプのテレビである。ＴＶ１０１は、装置の各部の動作を制御する制御部２と、選択されたチャンネル（以下、CHと称する）のディジタル放送波を受信するチューナ３と、受信したディジタル放送波をディジタルデータに復調する復調部４と、復調したディジタルデータから画像データと音声データとを分離し、両データを伸長するデコーダ５と、所望のＯＳＤ（On  Screen  Display）と画像データに基づく画像とを合成する画像合成部６と、画像データの信号と音声データの信号とをアナログの信号にそれぞれ変換するD／A変換部８と、ユーザの操作を受付ける操作部１１と、ＰＳＩ／ＳＩデータなどの制御データを記憶する制御データメモリ１４と、制御プログラムを記憶するＲＯＭ１５と、画像を表示する表示部９と、音声を装置外部に発生するスピーカ１０と、を備える。
【００１８】
ＲＯＭ１５は、装置本体各部の制御方法が記述された制御プログラムを予め記憶する。
制御部２は、例えばマイクロコンピュータで構成される。制御部２は、上記制御プログラムにより処理されるデータ等を展開するためのワークフィールドとしてのRAM（不図示）と、現在時刻を計時する計時部（不図示）と、を内蔵する。
【００１９】
操作部１１には、リモコン２００からの送信された命令を受信する受光部１１Ａが設けられている。
【００２０】
図２は、リモコン２００の外観図である。リモコン２００には、チャンネルの番号列を入力する番号キー２０１と、入力した番号の取消を受付ける取消キー２０３と、入力した番号列の確定を受付ける決定キー２０２と、チャンネル候補の中から１つのチャンネルの選択を受付ける選択キー２０４と、操作されたキーに応じた制御信号（命令）を送信するＬＥＤ２０５と、が設けられている。ここで、これらのキーの詳細については、後述する。その他、リモコン２００には、例えばチャンネルスキャンの実行、EPGの表示、電源のON／OFF、音量の調整などを受付けるキーが設けられているが、図示を省略している。ユーザは、いずれかのキーを押下してＴＶ１０１に命令する。ここで、ユーザは、番号キーを順次操作することによりチャンネルの番号列を直接入力する。
リモコン２００で入力される命令は、ＬＥＤ２０５から送信され、操作部１１の受光部１１Ａで受信される。そして、操作部１１は受信した命令を制御部２に伝送する。
なお、操作部１１には、リモコン２００と同じキーが設けられている。
【００２１】
図１に戻り、チューナ３は、アンテナ３０で受信しているディジタル放送波から、制御部２の指示に基づいて、入力された番号列のチャンネルの周波数帯域で放送されるテレビ番組のディジタル放送波を受信する。そして、チューナ３は、そのディジタル放送波を復調部４に出力する。
復調部４は、チューナ３から出力されたディジタル放送波をディジタルデータであるトランスポートストリームに復調し、出力する。
【００２２】
ここで、放送局は、番組の他に、各チャンネルで放送されているテレビ番組の属性（番組名、出演者等）を示す制御データを送信している。制御データは、例えばＰＳＩ／ＳＩデータである。この制御データには、後述のトランスポートストリームに関するストリーム構成情報、放送局に関する放送局情報などが含まれる。また、制御データには、各チャンネルで放送されているテレビ番組を特定する番組特定情報が記述されているＥＰＧ（電子番組表情報）も含まれる。番組特定情報は、例えば各チャンネルのチャンネル名、各チャンネルで放送されているテレビ番組の番組名である。
【００２３】
デコーダ５は、復調部４から出力されたトランスポートストリームから、画像データと音声データと制御データとを分離抽出する。ここで、分離抽出された画像データは、例えばMPEGでエンコードされている。そして、デコーダ５は、画像データをデコードする。最後に、デコーダ５は、画像データを画像合成部６を介してD／A変換部８に出力する。また、デコーダ５は、音声データをデコードし、D／A変換部８に出力する。
画像合成部６は、文字又は図形からなるＯＳＤ（オンスクリーンディスプレイ）を記憶する画像メモリ（不図示）を内蔵する。画像合成部６は、制御部２の指示に基づいて、画像データに基づく画像と、画像メモリが記憶しているＯＳＤと、を合成する。画像合成部６は、その合成された画像データをD／A変換部８に出力する。
【００２４】
D／A変換部８は、デコーダ５が出力した画像データの信号をアナログの再生画像信号に変換し、表示部９に出力する。また、D／A変換部８は、デコーダ５が出力した音声データの信号をアナログの再生音声信号に変換し、スピーカ１０に出力する。
表示部９は、例えばLCD（Liquid Crystal Display）である。
ユーザは、表示部９およびスピーカ１０において、D／A変換部８から出力された再生画像信号に基づく画像と再生音声信号に基づく音声とを視聴する。これにより、ユーザは、番号キーで直接入力した番号列のチャンネルで放送されるテレビ番組を視聴する。
【００２５】
ここで、チューナ３、復調部４及びデコーダ５が、本発明の「受信手段」に相当する。また、画像合成部６、表示部９及び制御部２が、本発明の「表示制御手段」に相当する。また、制御データメモリ１４が、本発明の「記憶手段」に相当する。また、リモコン２００及び操作部１１が、本発明の「入力手段」に相当する。また、制御部２が、本発明の「作成手段」に相当する。
【００２６】
一方、デコーダ５は、上記で分離した制御データを制御部２に出力する。制御部２は、デコーダ５から出力された制御データを制御データメモリ１４に記録する。制御データメモリ１４は、例えばEEPROMで構成される。
この制御データには、上記のようにＥＰＧの情報が含まれている。ＥＰＧの表示がリモコン２００で指示されると、制御部２は、画像合成部６を用いてＥＰＧを表示部９に表示する。このＥＰＧは、縦軸の時間と横軸のチャンネルとでマトリックス状に構成されており、その時間とそのチャンネルとにテレビ番組の情報（番組名や番組内容に関する詳細情報など）が対応付けて記述されている。
【００２７】
ここで、テレビ放送用のチャンネルとは、テレビ放送の各割り当て周波数帯域に付けた番号のことである。この周波数帯域の割当ては地域（基地局単位）毎に異なっており、地域毎に受信できるチャンネルの数も異なっている。そのため、地上デジタルテレビジョン放送におけるチャンネルスキャンについての電波産業会の運用規定（ＡＲＩＢＴＲ−Ｂ１４）では、デジタル放送受信機の設置時に、その設置地点における全受信可能チャンネルをサーチするように定められている。そのため、ユーザがディジタルテレビジョン１０１を購入して、ユーザを含む設置作業者が初めて家に設置する時、設置作業者は、チャンネルスキャンを実行する。このチャンネルスキャンとは、第１の周波数から第２の周波数までテレビ放送信号があるか否かサーチし、受信可能な周波数（チャンネル）を調べることである。ここで、第１の周波数から第２の周波数までの周波数とは、現行のアナログ放送で使用されている周波数のことである。そのため、第１の周波数から第２の周波数までの周波数は、例えば470MHz〜770MHzである。そして、このチャンネルスキャンにより、制御部２は、図３に示すチャンネルリストを作成し、制御データメモリ１４に記録する。
【００２８】
図３は、制御データメモリ１４が記憶するチャンネルリスト１４Ａの一例を示す図である。チャンネルリスト１４Ａは、受信可能なチャンネルの一覧と、各チャンネルのチャンネル名と、が対応付けて記述されたリストである。このチャンネル名は、制御データメモリ１４に記録される制御データから取得される情報である。ここで、図３に示す「１２３−１」「１２３−２」のうちハイフン「−」より前の「１２３」は放送サービス番号を表しており、ハイフン「−」より後ろの「１」「２」は枝番号を表している。その他の「１」「３」「４」〜「１２０」「１２１」「１２３」「１２７」「１２９」は放送サービス番号のみを表している。
【００２９】
図４は、本発明の実施形態であるディジタルテレビジョンの制御部が行う動作を示すフローチャートである。この動作は、ユーザがテレビ番組の視聴中に番号キー２０１を順次押下することにより希望のチャンネルの番号列を直接入力する場面を想定している。
【００３０】
まず、１つ目の番号キー２０１が押下されると、制御部２は、そのキーの番号を表示部９でＯＳＤ表示する（Ｓ１）。これにより、表示部９において、その番号が図５に示すような画面で表示される。
【００３１】
図５は、表示部９で表示される表示内容の推移の一例を示す図である。図５の（Ａ）は、１つ目の番号が番号キー２０１で入力された時に表示部９で表示される内容を示している。また、図５の（Ｂ）は、２つ目の番号が番号キー２０１で入力された時に表示部９で表示される内容を示している。また、図５の（Ｃ）は、３つ目の番号が番号キー２０１で入力された時に表示部９で表示される内容を示している。最後に、図５の（Ｄ）には、２つ目の番号が番号キー２０１で入力された時に表示部９で表示されるチャンネル候補から１つのチャンネルを選択する選択画面が示されている。また、図５の表示部９は、番号キー２０１で入力された番号を表示するための表示エリア９Ａと、チャンネル候補を表示するための表示エリア９Ｂと、で構成される。ここで、図５に示す「１２３−１」「１２３−２」のうちハイフン「−」より前の「１２３」は放送サービス番号を表しており、ハイフン「−」より後ろの「１」「２」は枝番号を表している。その他の「１」「１０」「１２」「１５」「１８」「１９」「１２０」「１２１」「１２３」「１２７」「１２９」は放送サービス番号のみを表している。
【００３２】
次に、制御部２は、１つ目の番号を先頭に含む番号列と対応するチャンネル名とを、図３に示すチャンネルリスト１４Ａから全て抽出する（Ｓ２）。そして、制御部２は、抽出した番号列をチャンネル候補として表示部９で表示する（Ｓ３）。その他、Ｓ３では、制御部２は、番号列に対応するチャンネル名も、チャンネル候補とともに表示部９で表示する。例えば図５の（Ａ）で示すように「１」の番号が入力された時、「１」を先頭に含む番号列と対応するチャンネル名とがチャンネルリスト１４Ａから抽出され、表示エリア９Ｂで表示される。
【００３３】
制御部２は、チャンネルが決定したか、番号キー２０１がさらに押下されたか、を判定する（Ｓ４、Ｓ５）。現在表示エリア９Ａに表示されているチャンネル（図５では「１」）で確定させるのであれば、ユーザは、決定キー２０２を押下してチャンネルを決定する。一方、現在表示エリア９Ａに表示されている番号を追加するのであれば、ユーザは、番号キー２０１をさらに押下する。
【００３４】
番号キー２０１がさらに押下されると、制御部２は、Ｓ１に戻り処理を継続する。詳述すると、例えば図５の（Ｂ）で示すように２つ目の番号である「２」の番号が入力された時、「１２」を先頭に含む番号列と対応するチャンネル名とがチャンネルリスト１４Ａから抽出され、表示エリア９Ｂで表示される。図５の（Ｂ）では、８つのチャンネル候補に絞り込まれている。
【００３５】
ユーザは、このチャンネル候補を見て、現在表示されている番号「１２」を決定キー２０２で確定する（図５の（Ｂ）参照）。又は、ユーザは、このチャンネル候補を見て、３つ目の番号「３」を番号キー２０１で入力する（図５の（Ｃ）参照）。又は、ユーザは、このチャンネル候補を見てカーソル１９を選択キー２０４で動かし、希望のチャンネルをで１つ選択する（図５の（Ｄ）参照）。これらにより、チャンネルが決定する。チャンネルが決定すると（Ｓ４）、即ち番号列が入力されると、制御部２は、その番号列のチャンネルをチューナ３に指示し（Ｓ６）、本処理を終了する。これにより、表示部９において、その番号列のチャンネルで放送されるテレビ番組の画像が表示される。
【００３６】
以上のように、チャンネル候補を表示してユーザのチャンネル入力を補助しているので、ユーザは、受信可能でないチャンネルを誤って入力することがない。従って、ＴＶ１０１は、ユーザのチャンネル入力ミスを減らすことができる。
また、チャンネル名もチャンネル候補とともに表示しているので、ユーザは、希望のチャンネルを入力し易くなる。従って、チャンネル入力ミスを一層減らすことができる。
また、図５（Ｄ）ではチャンネル候補から希望のチャンネルを選択キー２０４で選択できるので、ユーザはチャンネルを決定し易い。従って、ユーザの操作性が向上する。
【００３７】
また、本発明の実施形態は、以下の変形例を採用することができる。
【００３８】
（第１変形例）
上記ではチャンネル名を表示しているが、チャンネル名に代えて番組名を表示しても構わない。
図６は、本発明の実施形態の第１変形例であるディジタルテレビジョンの制御部が行う動作を示すフローチャートである。この動作は、図４の動作にＳ７を追加した動作であり、その他の処理については図４と同様である。また、図７は、本発明の実施形態の第１変形例であるディジタルテレビジョンの表示部９で表示される表示内容の一例を示す図である。
詳述すると、Ｓ２の後、制御部２は、Ｓ２において抽出したチャンネル（番組列）及び現在時刻に対応する番組名を、制御データメモリ１４に記憶されているＥＰＧから全て抽出する（Ｓ７）。そして、制御部２は、抽出した番号列をチャンネル候補として表示部９で表示する（Ｓ３）。その他、Ｓ３において、制御部２は、番号列に対応する番組名も、チャンネル候補とともに表示部９で表示する。これにより、図７に示すような画面が表示部９で表示される。
このように、番組名をチャンネル候補とともに表示しているので、ユーザは、希望のチャンネルを入力し易くなる。従って、チャンネル入力ミスを一層減らすことができる。
【００３９】
（第２変形例）
上記ではチャンネル名のみ表示したが、チャンネル名と番組名の両方を表示しても構わない。
図８は、本発明の実施形態の第２変形例であるディジタルテレビジョンの表示部９で表示される表示内容の一例を示す図である。
このように、チャンネル名と番組名の両方をチャンネル候補とともに表示しているので、ユーザは、希望のチャンネルを入力し易くなる。従って、チャンネル入力ミスを一層減らすことができる。
【符号の説明】
【００４０】
２−制御部
３−チューナ
４−復調部
５−デコーダ
６−画像合成部
９−表示部
９Ａ−表示エリア
９Ｂ−表示エリア
１０−スピーカ
１１−操作部
１１Ａ−受光部
１４−制御データメモリ
１４Ａ−チャンネルリスト
１５−ＲＯＭ
３０−アンテナ
１０１−ディジタルテレビジョン
２００−リモコン
２０１−番号キー
２０２−決定キー
２０３−取消キー
２０４−選択キー
２０５−ＬＥＤ
【図１】
0005630550.tif 000002
【図２】
0005630550.tif 000003
【図３】
0005630550.tif 000004
【図４】
0005630550.tif 000005
【図５】
0005630550.tif 000006
【図６】
0005630550.tif 000007
【図７】
0005630550.tif 000008
【図８】
0005630550.tif 000009